(57)【要約】【課題】机上においてスペースを取らず、スペースを有効活用することができるプリンタを提供すること。【解決手段】机上において用いるプリンタ１００は、筐体３１３が壁状の縦型形状であり、前記筐体３１３がパーティションとして机上を空間的に分割する。このため、略連続する机上を当該プリンタ１００で区切ってユーザのパーソナルスペースを構築でき、机上のスペースを有効活用することができる。また、中段部または下段部から選択的に排紙できるので、印刷した用紙を取り易くかつ反対側のユーザに内容が知られ難い。【選択図】        図４
2005324352.tif 000002
【特許請求の範囲】
【請求項１】
筐体が壁状の縦型形状であり、前記筐体がパーティションとして机上を空間的に分割するとともに、
前記筐体の両面にそれぞれ排紙口を設けたことを特徴とするプリンタ。
【請求項２】
排紙口の選択指示に基づいて、所定の排紙口に排紙する排紙手段を備えたことを特徴とする請求項１に記載のプリンタ。
【請求項３】
前記排紙口は、前記筐体の両面の中段部および下段部の少なくともいずれかに設けられたことを特徴とする請求項１または２に記載のプリンタ。
【請求項４】
さらに、別の排紙口を前記筐体の上部に設けたことを特徴とする請求項１〜３のいずれか一つに記載のプリンタ。
【請求項５】
さらに、異なるサイズの用紙を給紙する給紙手段を前記筐体の上部に設けたことを特徴とする請求項１〜４のいずれか一つに記載のプリンタ。
【請求項６】
前記給紙手段を、異なる用紙サイズごとに備えたことを特徴とする請求項１〜５のいずれか一つに記載のプリンタ。
【請求項７】
前記筐体の両面または片面をメモボードとしたことを特徴とする請求項１〜６のいずれか一つに記載のプリンタ。
【請求項８】
前記筐体の両面または片面をホワイトボードとしたことを特徴とする請求項１〜７のいずれか一つに記載のプリンタ。
【発明の詳細な説明】
【技術分野】
【０００１】
この発明は、机上において用いるプリンタに関する。
【背景技術】
【０００２】
通常、オフィスや学校ではプリンタは数名で共用となるが、各個人にそれぞれインクジェットプリンタのようなパーソナルプリンタが配置されることも多い。パーソナルプリンタを用いれば、仕事中に共用のプリンタまで、排紙した書類を取りにいく手間が省くことができる。また、機密性の高いあるいは個人的な書類を他人に見られ難いという利点がある（たとえば特許文献１参照。）。
【０００３】
【特許文献１】特開２００２−３５６０３６号公報
【発明の開示】
【発明が解決しようとする課題】
【０００４】
しかしながら、従来のパーソナルプリンタは、机上のスペースに対して筐体が割合に大きい上、頻繁に用いるものでもないため、使用していないときはその存在が邪魔になることが多い。特に、坪単価の高い賃貸オフィスや、ソーホーなどのスモールオフィスにとっては大きな問題である。その一方、プリンタを机の下に設置した場合、排紙した書類を取り出し難い上、プリント用紙をセットが困難になる。
【０００５】
この発明は上記に鑑みてなされたものであって、机上においてスペースを有効活用することができるプリンタを提供することを目的とする。
【課題を解決するための手段】
【０００６】
上記目的を達成するため、この発明にかかるプリンタは、筐体が壁状の縦型形状であり、前記筐体がパーティションとして机上を空間的に分割するとともに、前記筐体の両面にそれぞれ排紙口を設けたことを特徴とする。
【０００７】
また、この発明にかかるプリンタは、上記発明において、排紙口の選択指示に基づいて、所定の排紙口に排紙する排紙手段を備えたことを特徴とする。
【０００８】
また、この発明にかかるプリンタは、上記発明において、前記排紙口が、前記筐体の両面の中段部および下段部の少なくともいずれかに設けられたことを特徴とする。
【０００９】
また、この発明にかかるプリンタは、上記発明において、さらに、別の排紙口を前記筐体の上部に設けたことを特徴とする。
【００１０】
また、この発明にかかるプリンタは、上記発明において、さらに、異なるサイズの用紙を給紙する給紙手段を前記筐体の上部に設けたことを特徴とする。
【００１１】
また、この発明にかかるプリンタは、上記発明において、異なる用紙サイズごとに備えたことを特徴とする。
【００１２】
また、この発明にかかるプリンタは、上記発明において、前記筐体の両面または片面をメモボードとしたことを特徴とする。
【００１３】
また、この発明にかかるプリンタは、上記発明において、前記筐体の両面または片面を
をホワイトボードとして用いれば便利であるし、別途ホワイトボードを用意しなくてもよい。
【発明を実施するための最良の形態】
【００１４】
以下、この発明につき図面を参照しつつ詳細に説明する。なお、この実施例によりこの発明が限定されるものではない。また、以下に示す実施例の構成要素には、当業者が置換可能かつ容易なもの、あるいは実質的同一のものが含まれる。
【実施例】
【００１５】
図１は、この発明の実施例にかかるプリンタを示す斜視図である。図２は、図１に示したプリンタの側面図である。このプリンタ１００は、用紙の排紙方向をプリンタ１００の中段部、下段部にそれぞれ設けた点に特徴がある。このため、両側のユーザは自分のワークスペース側から書類を容易に取ることができる。また、印刷命令を出したユーザ側に書類が排紙されることで、書類内容が隣りのユーザに知られにくい。
【００１６】
このプリンタ１００は、高さ５０ｃｍ、幅６０ｃｍ、厚さ７ｃｍ程度であるが、これに限定されない。また、プリンタ１００の両面は、内部に薄い軟質材が入った布張り面３５１になっている。これにより、ユーザはメモ３５２などを押しピンで貼り付けることができる。これにより、机上のメモボードのスペースを省略できる。
【００１７】
また、当該面は、コルク面、フックを取り付けられるパンチングや凹凸面、付箋紙が貼れる平滑面などであってもよい。また、当該面は、ホワイトボードとしてもよい。また当該面は、布張り面、コルク面、パンチング、凹凸面、平滑面、ホワイトボードをユーザによって取替可能である。また当該面は、一つの面に布張り面、コルク面、パンチング、凹凸面、平滑面、ホワイトボードの少なくとも２つ以上の面を組み合わせて備えていてもよい。
【００１８】
プリンタ１００の上部には、給紙トレイ３０４ａ，３０４ｂが設けられている。この給紙トレイ３０４ａ，３０４ｂには、大小異なるサイズの用紙Ｐ１，Ｐ２がストックされる。また、当該プリンタ１００は上部から用紙Ｐ１，Ｐ２を排紙できる。具体的な構成は後述するが、上部から排紙することで、両側のユーザはそれぞれ自分のワークスペース側から書類を取り上げることができる。また、給紙トレイ３０４ａ，３０４ｂが筐体の上部に設けられているので、両側のユーザはそれぞれ自分のワークスペース側から用紙をストックできる。
【００１９】
また、上部排紙時に用紙Ｐを全て排紙するのではなく、排紙トレイ３１０に保持できるように、用紙Ｐを排紙トレイ３１０内にある程度収めた状態で排紙する。換言すれば、用紙Ｐの上端のみが排紙トレイ３１０の排紙口３１０ｃ，３１０ｄから露出しており、その他は排紙トレイ３１０内に収まっている。これにより、ユーザは、用紙が排紙されたことを確認できるとともに、印刷された情報を他人が見ることがない。なお、露出量は、用紙Ｐの排紙トレイ３１０における保持性および印刷内容の機密性に鑑み、用紙Ｐの長さの１／３以下とするのが好ましい。さらに１／５以下とすれば、殆どの印刷内容が隠れるのでより効果的である。
【００２０】
図３は、具体的な当該プリンタの使用状態を示す説明図である。このように、連続する机上ＤのユーザＵ同士の境に当該プリンタ１００を配置する。これにより、連続する机上Ｄがパーティション機能をもったプリンタ１００により分割されて、ユーザＵごとにパーソナルスペースが形成される。つぎに、当該プリンタ１００は、その両側の上部、中段部、下段部のうち、ユーザＵの所望の位置に排紙できるから、両側のユーザＵはそれぞれ容易に書類を取ることができる。また、パーティションにより区切られておりかつ自分側に書類が排紙されるので、隣りのユーザＵに自分の書類を見られ難い。
【００２１】
また、ユーザは、印刷の内容ごとに、任意に上部、中段部、下段部のいずれかの排紙口を選択することができるので、平行して異なる作業をし、印刷作業をする場合であっても、排紙口を区別することで、書類を混同させてしまうことがない。また、ユーザは、自らの側とは反対側へ排紙するように指示することができる。これによって、隣人であるユーザへ印刷物を手渡す手間を省くことができる。
【００２２】
また、上部から排紙する場合、用紙Ｐは、全て排紙するのではなく、用紙Ｐの上端のみ排紙トレイ３１０の上部排紙口３１０ｃ，３１０ｄから露出するように排紙し、その他は排紙トレイ３１０内に収めておく。これにより、ユーザＵは、排紙されたことを確認できるとともに、印刷内容が他人に見られない。また、下段排紙口３３９，３４１から排紙することで、机上の面にスムーズに排紙できる。たとえば、複数枚の用紙を排紙する場合、下段排紙口３３９，３４１から排紙したほうが用紙がばらばらになり難い。
【００２３】
中段排紙口３３７，３４３は、図３の右側のユーザのように、パーティションの下方に多くの書類や文具などがある場合、そのまま排紙できないので、ある程度の高さを有する当該中段排紙口３３７，３４３から排紙すれば、用紙Ｐをこれらに干渉させることがない。
【００２４】
図４および図５は、図１および図２に示したプリンタを示す構成図である。当該プリンタ１００は、大小異なるサイズの用紙Ｐ１，Ｐ２を給紙する給紙パス３０１，３０２を２つ有し、各給紙パス３０１，３０２には、筐体３１３上部に開口しかつ用紙Ｐをストックする給紙トレイ３０４と、給紙トレイ３０４の下部に配置されたＡＳＦローラ３０５と、ＡＳＦローラ３０５に続くガイド部３０６と、一対の用紙送りローラ３０７，３０７と、この用紙送りローラ３０７，３０７の間に配置されかつ各給紙パス３０１，３０２で共用の印刷ヘッド３０８と、その下方に設けたガイド部（群）３０９，３３５，３１８とを有する。
【００２５】
また、中段排紙部３６０と下段排紙部３６１とがガイド部（群）３０９，３３５，３１８により構成されるパス内に設けられる。中段排紙部３６０は、ガイド部３０９，３１８に設けたフラップ３３６，３４２を有し、第１排紙方向に排紙する場合は図中左側のフラップ３３６が回転してパスを中断し中段排紙口３３７に接続する（図中点線で示す）。第２排紙方向に排紙する場合、第１排紙方向のフラップ３３６は回転せずパスを構成し、第２排紙方向のフラップ３４２が回転してパスを中断し中段排紙口３４３に接続する（図中点線で示す）。
【００２６】
下段排紙部３６１は、湾曲しているガイド部３３５に設けたフラップ３３８，３４０を有し、第１排紙方向に排紙する場合は図中左側のフラップ３３８が揺動してパスを変更し下段排紙口３３９に接続する（図中点線で示す）。第２排紙方向に排紙する場合、第１排紙方向のフラップ３３９は揺動せずパスを構成し、第２排紙方向のフラップ３４０が揺動してパスを変更し下段排紙口３４１に接続する（図中点線で示す）。
【００２７】
また、筐体３１３の上部に設けた排紙トレイ３１０は異なる大小の用紙ごとに設けられ、当該排紙トレイ３１０の深さは用紙Ｐの長さより短いものとする。このようにすれば、排紙時に用紙Ｐの上端のみが筐体３１３の排紙口３１０ｃ，３１０ｄから露出するので、ユーザは印刷したことを確認できかつ他のユーザは印刷内容を見ることができない。なお、用紙Ｐの上端のみ露出する方式は、排紙トレイ３１０の深さを用紙Ｐの長さより短くなるように設定することに限定されない。たとえば、排紙ローラ３１９により露出量を制御するようにしてもよい。
【００２８】
上記ＡＳＦローラ３０５の対向面には用紙押え３１１が設けられている。ＡＳＦローラ３０５はＡＳＦモータ３１２により駆動され、一対の用紙送りローラ３０７，３０７は用紙送りモータ３３０により駆動され、排紙ローラ３１９は排紙モータ３１４により駆動される。その他の用紙送りローラ３１７は、別の用紙送りモータ３３０により駆動される。上記複数のフラップ３３６，３３８，３４０，３４２は、それぞれ対応して設けた排紙方向制御モータ３３１により個々に駆動される。なお、ＡＳＦローラ３０５および用紙送りローラ３０７などの配置および個数などは、プリンタの大きさなどにより決まるので当該実施例に限定されない。
【００２９】
前記印刷ヘッド３０８はオンデマンド型のインクジェット式であり、ノズル内部のインクを局部的に加熱し発生する気泡圧によりインクを吐出する方法、ノズル内のインクを圧電素子で加圧してインクを吐出する方法などの任意の方式を採用できる。また、印刷ヘッド３０８は、図示しないキャリッジに保持されかつ黒色および複数色のインクカートリッジを有する。
【００３０】
既述したように、前記給紙パス３０１，３０２は大小異なるサイズの用紙Ｐ１，Ｐ２ごとに２つ並列に設けられ、各給紙パス３０１，３０２は、各サイズ用の給紙トレイ３０４ａ，３０４ｂ、ＡＳＦローラ３０５ａ，３０５ｂおよび用紙送りローラ３０７ａ，３０７ｂを有する。すなわち、筐体３１３上部に設けた２つの給紙トレイ３０４ａ，３０４ｂに異なるサイズの用紙Ｐ１，Ｐ２をそれぞれストックしておき、印刷時にユーザが用紙Ｐを選択できる。
【００３１】
具体的には図５に示すように、Ａ４サイズの用紙Ｐ１の給紙パス３０１と、ロール紙や、Ａ７、Ｂ６、ハガキ、写真サイズなどのＡ４よりも小さいサイズの用紙Ｐ２の給紙パス３０２とが形成され、必要に応じて印刷する書類のサイズを選択する。たとえば、Ａ４サイズの用紙Ｐ１は通常の書類作成に用いるが、それより小さいサイズの用紙Ｐ２は、メモ程度の情報を出力するのに用いる。このため、小さいサイズの用紙Ｐ２は、大きいサイズの用紙Ｐ１の半分以下であるのが好ましい。たとえば、小さいサイズの用紙Ｐ２は、他人に渡すための連絡事項を印刷したり、インターネットのＵＲＬ、電子メールアドレス、住所または居所、電話番号、ＦＡＸ番号、簡単な地図などを印刷するのに好適である。
【００３２】
また、両方の大小の用紙Ｐ１，Ｐ２は同一の印刷ヘッド３０８により印刷される。図５に示すように、印刷ヘッド３０８を有するキャリッジ３１５は、給紙パス３０１，３０２の方向に対して直角な方向に設けられたガイド軸３１６により、左右移動可能となる。移動方式は、ヘッド移動モータと、その回転を前記ガイド軸に平行に配置するとともにその一部をキャリッジ３１５に固定してあるタイミングベルトとによりおこなう。
【００３３】
このほか、ボールネジのナット部にキャリッジ３１５を固定し、ネジをモータにより回転制御するようにしてもよい（図示省略）。このように、印刷ヘッド３０８の移動範囲を２つの用紙Ｐ１，Ｐ２の給紙パス３０１，３０２に渡り設ければ、一つのヘッドで２つの用紙Ｐ１，Ｐ２に印刷できる。また、大小の用紙Ｐ１，Ｐ２に対して同時に印刷をおこなうこともできる。
【００３４】
当該プリンタでは、その各部を統轄制御するため、ＣＰＵ３２１、ＲＯＭ３２２、主記憶装置として働くＲＡＭ３２３とがバスを介して接続され、コンピュータ構成の制御機構であるプリンタコントローラ３２０を構成する。
【００３５】
コンピュータＣから送られてきた印刷命令（印刷指示情報）には、印刷内容に関する情報のほかに、排紙口の位置に関する情報が含まれている。その印刷命令は、インタフェース装置３２４からバスを介して、プリンタコントローラ３２０に伝えられる。プリンタコントローラ３２０は、印刷ヘッド３０８を制御するとともに、ＡＳＦモータ３１２や用紙送りモータ３３０の駆動制御などをおこなう。また、プリンタコントローラ３２０は、排紙方向を選択制御する排紙方向制御モータ３３１を駆動制御する。これによって、指示があった位置に用紙が排紙される。
【００３６】
図６は、このプリンタ１００の動作を示すフローチャートである。このプリンタ１００では、あらかじめ前記２つの異なるサイズの給紙トレイ３０４ａ，３０４ｂに２つの異なる用紙Ｐ１，Ｐ２をストックしておく。つぎに、ユーザは自分のコンピュータＣから所望の書類の印刷命令をおこなう（ステップＳ１）。このとき、コンピュータＣの印刷画面には、所定の用紙Ｐ（給紙トレイ３０４）を選択するボタンが表示され、ユーザはその画面において印刷する用紙を選択する（ステップＳ２）。
【００３７】
さらに、ユーザは、コンピュータＣの排紙位置画面において、排紙する位置（上部、中段部、下段部のいずれか）を選択する（ステップＳ３）。一方、プリンタ１００では、当該プリンタ１００を使用するユーザによりまたはユーザ情報に基づき排紙方向（第１排紙方向または第２排紙方向を選択）を選択し（ステップＳ４）、印刷を実行する（ステップＳ５）。その際、排紙位置と排紙方向が選択されたら、その排紙位置において排紙方向に用紙Ｐを排紙できるように該当するフラップ３３６，３３８，３４０，３４２が回転する。
【００３８】
ここで、ユーザがＡ４の用紙Ｐ１を選択した場合、プリンタ１００のＡ４用紙側の第１給紙パス３０１のＡＳＦローラ３０５ａ、用紙送りローラ３０７ａが駆動制御される。また、印刷ヘッド３０８の印刷領域Ｗ１が第１の給紙パス３０１を含んだ領域のみとなる。一方、ユーザがロール紙Ｐ２を選択した場合、プリンタ１００のロール紙側の第２の給紙パス３０２のＡＳＦローラ３０５ｂ、用紙送りローラ３０７ｂが駆動制御される。
【００３９】
また、印刷ヘッド３０８の印刷領域Ｗ２が第２の給紙パス３０２を含んだ領域のみとなる。また、ユーザがＡ４の用紙Ｐ１とロール紙Ｐ２との両方を選択した場合、第１の給紙パス３０１および第２の給紙パス３０２の両方のＡＳＦローラ３０５ａ，３０５ｂ、用紙送りローラ３０７ａ，３０７ｂが駆動制御される。また、印刷ヘッド３０８の印刷領域Ｗ３が第１給紙パス３０１および第２給紙パス３０２を含んだ領域となる。
【００４０】
給紙パス３０１，３０２に沿って送られた用紙Ｐは、印刷ヘッド３０８により所定内容を印刷され、ガイド部３０６から下に移動する。ここで、第１排紙方向の中段部のフラップ３３６が選択されている場合（図中点線で示す）、当該フラップ３３６は、このガイド部３０６から降りてくる用紙Ｐを第１排紙方向の中段排紙口３３７にガイドして排紙する。一方、当該フラップ３３６が選択されていない場合、ガイド部３０６から降りてきた用紙Ｐはそのまま下方に移動する。
【００４１】
つぎに、第１排紙方向の下段部のフラップ３３８が選択されている場合（図中点線で示す）、当該フラップ３３８は、このガイド部３０９から降りてくる用紙Ｐを第１排紙方向の下段排紙口３３９にガイドして排紙する。一方、当該フラップ３３８が選択されていない場合、ガイド部３０９から降りてきた用紙Ｐはそのまま湾曲したガイド部３３５にて反転移動する。
【００４２】
また、第２排紙方向の下段部のフラップ３４０が選択されている場合（図中点線で示す）、当該フラップ３４０は、このガイド部３３５から送られてくる用紙Ｐを第２排紙方向の下段排紙口３４１にガイドして排紙する。一方、当該フラップ３４０が選択されていない場合、ガイド部３３５から送られてきた用紙Ｐはそのまま反転し上方に移動する。
【００４３】
そして、第２排紙方向の中段部のフラップ３４２が選択されている場合（図中点線で示す）、当該フラップ３４２は、このガイド部３１８から上ってくる用紙Ｐを第２排紙方向の中段排紙口３４３にガイドして排紙する。一方、当該フラップ３４２が選択されていない場合、ガイド部３１８から上がってきた用紙Ｐはそのまま上方に移動する。
【００４４】
上方に送られてきた用紙Ｐは、そのまま上方に送られて排紙トレイ３１０に排紙される。この排紙時、用紙Ｐはその上端のみ筐体３１３の排紙口３１０ｃ，３１０ｄから露出した状態で排紙トレイ３１０内にストックされる。なお、ロール紙Ｐ２の場合、図示しないカッターにより切断された状態で排紙される。上端のみ露出することで、排紙されたことを認識できかつ他のユーザが書類の内容を見るのを防止できる。
【００４５】
なお、上記説明では排紙口をユーザが選択したが、自動的に選択されるようにしてもよい。たとえば、下段部の排紙口の前にセンサーを設置して、当該排紙口の前に障害物が存在する場合、それをセンサーで認識し、中段部の排紙口に切り換える。
【００４６】
以上説明したように、本実施例にかかるプリンタ１００は、筐体が壁状の縦型形状であり、筐体がパーティションとして机上を空間的に分割するとともに、筐体の両面にそれぞれ排紙口を設け、排紙口を選択指示するに基づいて、所定の排紙口に排紙するため、パーティションとして機能し、略連続する机上をプリンタで区切ってユーザのパーソナルスペースを構築でき、机上のスペースを取らない。
【００４７】
さらに、印刷を実行しているユーザ側に排紙方向を選択できるので、印刷した用紙を取り易くかつ反対側のユーザに内容が知られ難い。さらに、プリンタ１００の上側に排紙するので両側のユーザが用紙を取り上げ易く、さらに用紙の上端のみを露出するので他のユーザに内容が知られ難い。
【００４８】
また、この発明にかかるプリンタは、前記排紙口が、前記筐体の両面の中段部および下段部の少なくともいずれかに設けられおり、さらに、別の排紙口を前記筐体の上部に設けられているので、ユーザが所望する位置から排紙させることができる。具体的には、上部、中段部、下段部に排紙口を設けることで、机上の状態や、書類の機密性等に応じて、適当な位置から排紙できる。たとえば、机の上に書類や文具等が散乱していれば、中段または上部から排紙すればよい。また、複数枚排紙するときは下段から排紙するのが好ましい。
【００４９】
また、用紙の排紙時に当該用紙の上端のみを上記上部に設けられた排紙口から露出するため、用紙の上端のみを露出し、用紙の大部分がプリンタの内部に残り内容が隠され、他のユーザに内容が知られ難い。なお、ここで前記露出する上端は、少なくとも排紙方向の用紙長さの１／３以下とするのがよい。
【００５０】
また、この発明にかかるプリンタは、上記発明において、排紙口を含む排紙トレイの深さを用紙の長さより短くするとよい。排紙トレイの深さを用紙の長さより短くすることで、用紙の上端を排紙口から露出できる。
【００５１】
また、この発明にかかるプリンタは、上記発明において、排紙口を含む排紙トレイに設けた排紙ローラにより、用紙の露出量を決めるとよい。排紙ローラにより用紙の露出量を決めるようにすれば、たとえば秘密性の高い書類を排紙するときは露出量を小さくし、秘密性の低い書類の場合は露出量を多くできる。
【００５２】
また、この発明にかかるプリンタは、上記発明において、異なる用紙サイズごとに備えている。異なるサイズの用紙を用いることができれば、印刷目的に応じて用紙を選択できる。たとえば一般書類の印刷には通常の用紙でよいが、メールアドレスや電話番号などのメモ程度のものであれば、小さい用紙が好適である。
【００５３】
また、この発明にかかるプリンタは、上記発明において、さらに、異なるサイズの用紙の給紙パスが並行に設けられ、両方の給紙パスに渡って印刷領域を有する単一の印刷ヘッドを備えている。これによって、両方の給紙パスに渡って印刷領域を有する印刷ヘッドを用いれば、単一の印刷ヘッドにより異なるサイズの用紙に印刷できる。このため、プリンタの構造が簡単になる。
【００５４】
また、この発明にかかるプリンタは、上記発明において、さらに、前記印刷ヘッドは、前記異なるサイズの用紙に対して同時に印刷をおこなうことができる。印刷ヘッドは、前記給紙パスが並行に設けられておりかつその両方に渡って当該印刷ヘッドが印刷領域を有するので、異なる用紙に対して同時に印刷できる。
【００５５】
また、この発明にかかるプリンタは、上記発明において、前記筐体の両面または片面をメモボードとしたため、壁状の縦型プリンタによりパーティションを構成した場合、その面をメモボードとして用いれば便利であるし、別途メモボードを用意しなくてもよい。
【００５６】
また、この発明にかかるプリンタは、上記発明において、前記筐体の両面または片面をホワイトボードとしたため、壁状の縦型プリンタによりパーティションを構成した場合、その面をホワイトボードとして用いれば便利であるし、別途ホワイトボードを用意しなくてもよい。
【図面の簡単な説明】
【００５７】
【図１】この発明の実施例にかかるプリンタを示す斜視図。
【図２】図１に示したプリンタの側面図。
【図３】具体的な当該プリンタの使用状態を示す説明図。
【図４】図１および図２に示したプリンタを示す構成図。
【図５】図１および図２に示したプリンタを示す構成図。
【図６】このプリンタの動作を示すフローチャート。
【符号の説明】
【００５８】
１００  プリンタ、３０１，３０２  給紙パス、３０４  給紙トレイ、３０８  印刷ヘッド、３１０  排紙トレイ、３１９  排紙ローラ、３６０  中段排紙部、３６１  下段排紙部
【図１】
2005324352.tif 000003
【図２】
2005324352.tif 000004
【図３】
2005324352.tif 000005
【図４】
2005324352.tif 000006
【図５】
2005324352.tif 000007
【図６】
2005324352.tif 000008